(57)【要約】【目的】球抜き装置の取り外し及び組み付けを容易に行うことができる遊技機を提供する。【構成】皿部材２７は、皿部材本体５１９と、皿部材カバー体４９０と、から構成され、球抜き装置５００は、開閉部材５０５と、弾性部材５０７と、操作レバー２８と、収容部材５０８と、から構成され、操作レバー２８の操作部２８ａを収容部材５０８の開口穴５０１から突出させ、皿部材カバー体４９０の前面側下部には、収容部材５０８を取り付けるための取付凹部４９２が形成され、収容部材５０８の前面と皿部材カバー体４９０の前面とが連続面として形成されるように、収容部材５０８を取付凹部４９２に取り付けたことにより、球抜き装置５００の取り外し及び組み付けの度に皿部材カバー体４９０を取り外し及び組み付けをする必要がなく、製造及び保守コストの低減を図ることができると共に、外観上も美観を損なうことがない。【選択図】        図６
2004255004.tif 000002
【特許請求の範囲】
【請求項１】
遊技球を貯留する皿部材と、該皿部材に装着され且つ皿部材に貯留されていた遊技球を下方に球抜きする球抜き装置と、を備えた遊技機において、
前記皿部材は、該皿部材の基体をなす皿部材本体と、該皿部材本体を被覆して装飾する皿部材カバー体と、から構成され、
前記球抜き装置は、遊技球を下方に球抜きする際に移動させる開閉部材と、球抜きがされない方向に前記開閉部材を付勢する弾性部材と、前記開閉部材に備えられ且つ該開閉部材を移動させる際に操作する操作レバーと、前記開閉部材，前記弾性部材及び前記操作レバーを収容する収容部材と、から構成され、
前記操作レバーの操作部を前記収容部材の前面側に穿設した開口穴から突出させ、
前記皿部材カバー体の前面側下部には、前記収容部材を取り付けるための取付凹部が形成され、
前記収容部材の前面と前記皿部材カバー体の前面とが連続面として形成されるように、前記収容部材を前記取付凹部に取り付けたことを特徴とする遊技機。
【請求項２】
遊技球を貯留する皿部材と、該皿部材に装着され且つ皿部材に貯留されていた遊技球を下方に球抜きする球抜き装置と、を備えた遊技機において、
前記皿部材は、該皿部材の基体をなす皿部材本体と、該皿部材本体を被覆して装飾する皿部材カバー体と、から構成され、
前記球抜き装置は、遊技球を下方に球抜きする際に移動させる開閉部材と、球抜きがされない方向に前記開閉部材を付勢する弾性部材と、前記開閉部材に備えられ且つ該開閉部材を移動させる際に操作する操作レバーと、前記開閉部材，前記弾性部材及び前記操作レバーを収容する収容部材と、から構成され、
前記皿部材カバー体の前面側下部には、前記収容部材を取り付けるための取付凹部が形成され、
前記操作レバーの操作部が前記収容部材の前面側上端と前記取付凹部との間から突出すると共に、前記収容部材の前面と前記皿部材カバー体の前面とが連続面として形成されるように、前記収容部材を前記取付凹部に取り付けたことを特徴とする遊技機。
【請求項３】
前記収容部材の前面と前記皿部材カバー体の前面とが連続的な意匠となるように構成したことを特徴とする請求項１又は請求項２記載の遊技機。
【請求項４】
遊技球を貯留する皿部材と、該皿部材に装着され且つ皿部材に貯留されていた遊技球を下方に球抜きする球抜き装置と、を備えた遊技機において、
前記皿部材は、該皿部材の基体をなす皿部材本体と、該皿部材本体を被覆して装飾する皿部材カバー体と、から構成され、
前記球抜き装置は、遊技球を下方に球抜きする際に移動させる開閉部材と、球抜きがされない方向に前記開閉部材を付勢する弾性部材と、前記開閉部材に備えられ且つ該開閉部材を移動させる際に操作する操作レバーと、前記開閉部材，前記弾性部材及び前記操作レバーを収容する収容部材と、から構成され、
前記操作レバーの操作部を前記収容部材の前面側に穿設した開口穴から突出させ、
前記皿部材本体の前面側下部には、前記収容部材を取り付けるための取付凹部が形成され、
前記収容部材の前面と前記皿部材カバー体の前面とが連続面として形成されるように、前記収容部材を前記取付凹部に取り付けたことを特徴とする遊技機。
【請求項５】
遊技球を貯留する皿部材と、該皿部材に装着され且つ皿部材に貯留されていた遊技球を下方に球抜きする球抜き装置と、を備えた遊技機において、
前記皿部材は、該皿部材の基体をなす皿部材本体と、該皿部材本体を被覆して装飾する皿部材カバー体と、から構成され、
前記球抜き装置は、遊技球を下方に球抜きする際に移動させる開閉部材と、球抜きがされない方向に前記開閉部材を付勢する弾性部材と、前記開閉部材に備えられ且つ該開閉部材を移動させる際に操作する操作レバーと、前記開閉部材，前記弾性部材及び前記操作レバーを収容する収容部材と、から構成され、
前記皿部材本体の前面側下部には、前記収容部材を取り付けるための取付凹部が形成され、
前記操作レバーの操作部が前記収容部材の前面側上端と前記取付凹部との間から突出すると共に、前記収容部材の前面と前記皿部材カバー体の前面とが連続面として形成されるように、前記収容部材を前記取付凹部に取り付けたことを特徴とする遊技機。
【請求項６】
前記操作レバーと前記開閉部材とを一体的に形成したことを特徴とする請求項１乃至請求項５のいずれかに記載の遊技機。
【発明の詳細な説明】
【０００１】
【発明の属する技術分野】
本発明は、遊技球を貯留する皿部材と、該皿部材に装着され且つ皿部材に貯留されていた遊技球を下方に球抜きする球抜き装置と、を備えた遊技機に関するものである。
【０００２】
【従来の技術】
弾球遊技機において、球発射装置へ遊技球を供給するための打球供給皿（上皿）から溢れた遊技球は、打球供給皿の下方に備えられた下皿（皿部材）に貯留されるが、この下皿に貯留された遊技球は、下皿に取り付けられた球抜き装置から球箱等に移し替えるようになっていた。この下皿に取り付けられる球抜き装置は、従来、下皿を構成する皿体に取り付けられると共に、下皿の表面側を構成するカバー体によって覆われる構成となっていた（例えば、特許文献１）。
【０００３】
【特許文献１】
特許３３４０７１３号公報（第６〜８頁、図１７）
【０００４】
【発明が解決しようとする課題】
ところが、上記した特許文献１に係る遊技機の場合、下皿をカバー体で覆うため、外観上、美観を保つことができるものの、球抜き装置もカバー体で覆われる構成であるため、球抜き装置に操作レバーを組み付けた状態では、カバー体の開口穴にレバーを挿入し難く、また、球抜き装置のメンテナンス時に球抜き装置の取り外し及び組み付けのために、カバー体もその都度、取り外し及び組み付けを行わなければならず、製造コストや保守コストが上昇するという問題があった。本発明は、上記した事情に鑑みなされたもので、その目的とするところは、球抜き装置の取り外し及び組み付けを容易に行うことができる遊技機を提供することにある。
【０００５】
【課題を解決するための手段】
上記目的を達成するために、請求項１の発明においては、遊技球を貯留する皿部材と、該皿部材に装着され且つ皿部材に貯留されていた遊技球を下方に球抜きする球抜き装置と、を備えた遊技機において、前記皿部材は、該皿部材の基体をなす皿部材本体と、該皿部材本体を被覆して装飾する皿部材カバー体と、から構成され、前記球抜き装置は、遊技球を下方に球抜きする際に移動させる開閉部材と、球抜きがされない方向に前記開閉部材を付勢する弾性部材と、前記開閉部材に備えられ且つ該開閉部材を移動させる際に操作する操作レバーと、前記開閉部材，前記弾性部材及び前記操作レバーを収容する収容部材と、から構成され、前記操作レバーの操作部を前記収容部材の前面側に穿設した開口穴から突出させ、前記皿部材カバー体の前面側下部には、前記収容部材を取り付けるための取付凹部が形成され、前記収容部材の前面と前記皿部材カバー体の前面とが連続面として形成されるように、前記収容部材を前記取付凹部に取り付けたことを特徴とする。このように構成することにより、操作レバーや開閉部材等から構成される球抜き装置と皿部材カバー体とが一体的に構成されるため、球抜き装置の取り外し及び組み付けの度に皿部材カバー体を取り外し及び組み付けをする必要がなく、製造及び保守コストの低減を図ることができると共に、外観上も美観を損なうことがない。
【０００６】
また、請求項２の発明においては、遊技球を貯留する皿部材と、該皿部材に装着され且つ皿部材に貯留されていた遊技球を下方に球抜きする球抜き装置と、を備えた遊技機において、前記皿部材は、該皿部材の基体をなす皿部材本体と、該皿部材本体を被覆して装飾する皿部材カバー体と、から構成され、前記球抜き装置は、遊技球を下方に球抜きする際に移動させる開閉部材と、球抜きがされない方向に前記開閉部材を付勢する弾性部材と、前記開閉部材に備えられ且つ該開閉部材を移動させる際に操作する操作レバーと、前記開閉部材，前記弾性部材及び前記操作レバーを収容する収容部材と、から構成され、前記皿部材カバー体の前面側下部には、前記収容部材を取り付けるための取付凹部が形成され、前記操作レバーの操作部が前記収容部材の前面側上端と前記取付凹部との間から突出すると共に、前記収容部材の前面と前記皿部材カバー体の前面とが連続面として形成されるように、前記収容部材を前記取付凹部に取り付けたことを特徴とする。このように構成することにより、操作レバーや開閉部材等から構成される球抜き装置と皿部材カバー体とが一体的に構成されるため、球抜き装置の取り外し及び組み付けの度に皿部材カバー体を取り外し及び組み付けをする必要がなく、製造及び保守コストの低減を図ることができると共に、外観上も美観を損なうことがない。
【０００７】
また、請求項３の発明においては、前記収容部材の前面と前記皿部材カバー体の前面とが連続的な意匠となるように構成したことを特徴とする。このように構成することにより、収容部材と皿部材カバー体とを統一感のあるデザインとすることができるため、遊技機の美観を向上させることができる。
【０００８】
また、請求項４の発明においては、遊技球を貯留する皿部材と、該皿部材に装着され且つ皿部材に貯留されていた遊技球を下方に球抜きする球抜き装置と、を備えた遊技機において、前記皿部材は、該皿部材の基体をなす皿部材本体と、該皿部材本体を被覆して装飾する皿部材カバー体と、から構成され、前記球抜き装置は、遊技球を下方に球抜きする際に移動させる開閉部材と、球抜きがされない方向に前記開閉部材を付勢する弾性部材と、前記開閉部材に備えられ且つ該開閉部材を移動させる際に操作する操作レバーと、前記開閉部材，前記弾性部材及び前記操作レバーを収容する収容部材と、から構成され、前記操作レバーの操作部を前記収容部材の前面側に穿設した開口穴から突出させ、前記皿部材本体の前面側下部には、前記収容部材を取り付けるための取付凹部が形成され、前記収容部材の前面と前記皿部材カバー体の前面とが連続面として形成されるように、前記収容部材を前記取付凹部に取り付けたことを特徴とする。このように構成することにより、操作レバーや開閉部材等から構成される球抜き装置と皿部材本体とが一体的に構成されるため、球抜き装置の取り外し及び組み付けの度に皿部材本体や皿部材カバー体を取り外し及び組み付けをする必要がなく、製造及び保守コストの低減を図ることができると共に、外観上も美観を損なうことがない。
【０００９】
また、請求項５の発明においては、遊技球を貯留する皿部材と、該皿部材に装着され且つ皿部材に貯留されていた遊技球を下方に球抜きする球抜き装置と、を備えた遊技機において、前記皿部材は、該皿部材の基体をなす皿部材本体と、該皿部材本体を被覆して装飾する皿部材カバー体と、から構成され、前記球抜き装置は、遊技球を下方に球抜きする際に移動させる開閉部材と、球抜きがされない方向に前記開閉部材を付勢する弾性部材と、前記開閉部材に備えられ且つ該開閉部材を移動させる際に操作する操作レバーと、前記開閉部材，前記弾性部材及び前記操作レバーを収容する収容部材と、から構成され、前記皿部材本体の前面側下部には、前記収容部材を取り付けるための取付凹部が形成され、前記操作レバーの操作部が前記収容部材の前面側上端と前記取付凹部との間から突出すると共に、前記収容部材の前面と前記皿部材カバー体の前面とが連続面として形成されるように、前記収容部材を前記取付凹部に取り付けたことを特徴とする。このように構成することにより、操作レバーや開閉部材等から構成される球抜き装置と皿部材本体とが一体的に構成されるため、球抜き装置の取り外し及び組み付けの度に皿部材本体や皿部材カバー体を取り外し及び組み付けをする必要がなく、製造及び保守コストの低減を図ることができると共に、外観上も美観を損なうことがない。
【００１０】
更に、請求項６の発明においては、前記操作レバーと前記開閉部材とを一体的に形成したことを特徴とする。このように構成することにより、部品点数を削減することができるため、製造コストの低減を図ることができる。
【００１１】
【発明の実施の形態】
以下、図面を参照して、本発明の実施形態について説明する。なお、以下の説明においては、弾球遊技機１の遊技者側を表，表面，前面，前方で表わし、弾球遊技機１を挟んで遊技者と反対側を裏，裏面，後面，後方，奥，背面で示す。まず、図１乃至図４を参照して実施形態に係る弾球遊技機１の全体の構成について説明する。図１は、本実施形態に係る弾球遊技機１の正面図であり、図２は、遊技盤４０の正面図であり、図３は、弾球遊技機１の背面図であり、図４は、主基板１２０と各種制御基板及び電気部品との関係を示すブロック図である。
【００１２】
弾球遊技機１は、図１及び図２に示すように、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられる透明板保持枠４と、枠基体３の前面下部に開閉自在に設けられる上皿開閉枠１１と、から構成されている。また、枠基体３に設けられる主要構成部としては、上記した透明板保持枠４、遊技盤４０、皿部材２７、灰皿ユニット２９、操作ハンドル３０、機構板１４０、打球発射装置１３０がある。また、図示の実施形態では、弾球遊技機１の側方に遊技者に遊技球を貸し出す（球貸しする）ためのカードユニット装置３１が付設されている。
【００１３】
透明板保持枠４には、後述する遊技盤４０の遊技領域４１をほぼ透視し得る遊技開口としての円形透視窓５が開設され、該円形透視窓５の裏面から複層ガラス板が装着されるようになっている。この円形透視窓５及び複層ガラス板は、いずれも縦長な円形状に形成されるものである。透明板保持枠４の周縁には、後方に向かって補強周枠リブ（図示しない）が立設され、透明板保持枠４の強度の向上を図っている。また、透明板保持枠４の前面側には、円形透視窓５の外周に沿って、上部に装飾部材としての上部装飾ユニット２２が、左側方に被覆部材としての左装飾ユニット２３が、右側方に被覆部材としての右装飾ユニット２４が、下部に前面構成部材としての下部装飾ユニット２５がそれぞれ設けられている。上部装飾ユニット２２の内部に、発光部材としての遊技効果ＬＥＤ１３，１４ａ，１４ｃ及び遊技効果ランプ１４ｂ，１４ｄが臨むように透明板保持枠４の前面側に備えられ、左装飾ユニット２３及び右装飾ユニット２４の内部に、それぞれ発光部材としての遊技効果ランプ１６ａ，１６ｂ及び遊技効果ランプ１７ａ，１７ｂが臨むように透明板保持枠４の前面側に備えられている。この遊技効果ＬＥＤ１３，１４ａ，１４ｃ、遊技効果ランプ１４ｂ，１４ｄ，１６ａ，１６ｂ，１７ａ，１７ｂは、遊技状態に応じて点灯又は点滅されるものであり、特別の遊技状態の発生時や継続時を遊技者に報知すると共に遊技の雰囲気を盛り上げるものである。
【００１４】
また、上部装飾ユニット２２の左右に、遊技の進行に応じた効果音（音声なども含む）を発生するスピーカ１２ａ，１２ｂが透明板保持枠４に設けられている。なお、スピーカ１２ａ，１２ｂは、遊技球の貸出異常が生じたとき、あるいは遊技球の貸出時（例えば、１００円相当の遊技球が払い出される毎）に、その旨を報知する報知音も発生するようにしてもよい。また、左装飾ユニット２３の上部右側方に、入賞球の発生に基づいて所定個数の賞球が払い出されたことを報知する遊技関連情報発光部材としての賞球ＬＥＤ１０（なお、賞球未払出分がある場合に報知するものでもよい。具体的には、賞球未払出があるときは点灯し、賞球未払出がないときは消灯するなど）が透明板保持枠４に設けられ、右装飾ユニット２４の上部左側方に、払い出すべく賞球が不足したこと（後述する球切れスイッチ１５７により球切れを検出したとき）を報知する遊技関連情報発光部材としての球切れＬＥＤ９が透明板保持枠４に設けられている。この賞球ＬＥＤ１０及び球切れＬＥＤ９は、弾球遊技機１において行なわれる遊技演出とは別に遊技に関する情報に関連して発光する遊技関連情報発光部材であり、遊技効果ＬＥＤや遊技効果ランプとは別に設けられるものである。また、左装飾ユニット２３及び右装飾ユニット２４のそれぞれ左側及び右側には、装飾するための前面装飾部６が設けられている。更に、下部装飾ユニット２５の両側方には、遊技盤４０に貼付される証紙を視認するための透視窓１８が設けられている。
【００１５】
上記した遊技効果ＬＥＤ１３，１４ａ，１４ｃ、遊技効果ランプ１４ｂ，１４ｄ，１６ａ，１６ｂ，１７ａ，１７ｂ、球切れＬＥＤ９、賞球ＬＥＤ１０は、それぞれプリント配線基板で構成されるＬＥＤ基板１９０、ＬＥＤランプ基板１９１，１９２、ランプ基板１９３〜１９６、球切れＬＥＤ基板１９７、賞球ＬＥＤ基板１９８に実装されて枠基体３の前面側に取り付けられている。なお、遊技効果ＬＥＤ１３，１４ａ，１４ｃ、遊技効果ランプ１６ａ，１６ｂ，１７ａ，１７ｂ、球切れＬＥＤ９、賞球ＬＥＤ１０は、各プリント基板にそれぞれ複数個ずつ実装され、遊技効果ランプ１４ｂ，１４ｄは、各プリント基板にそれぞれ１個ずつ実装されている。そして、図４に示すように、各基板１９０〜１９８及びスピーカ１２ａ，１２ｂは、保持枠中継基板１００に接続され、この保持枠中継基板１００は、枠基体３の裏面下部に取り付けられる中継基板取付台２０１に止着される枠基体中継基板９９に接続された後、後述する電飾制御基板９２に接続されている。電飾制御基板９２は、後述する主基板１２０（遊技制御基板）から表示制御基板９０を経由して送信される情報信号の種類に応じて上記した遊技効果ＬＥＤ１３，１４ａ，１４ｃ、遊技効果ランプ１４ｂ，１４ｄ，１６ａ，１６ｂ，１７ａ，１７ｂ、球切れＬＥＤ９、賞球ＬＥＤ１０の表示制御及びスピーカ１２ａ，１２ｂの駆動制御をするものである。なお、保持枠中継基板１００は、透明板保持枠４の裏面上部に取り付けられている。
【００１６】
また、枠基体３には、透明板保持枠４と枠基体３とが開放したことを検出するための保持枠開放スイッチ１１１（図４に符号のみ記載：図中、第１ドア開放スイッチと記載）及び枠基体３と外枠２とが開放したことを検出するための枠基体開放スイッチ１１２（図４に符号のみ記載：図中、第１ドア開放スイッチと記載）が設けられており、枠基体中継基板９９を介して枠用外部端子基板１０２に接続されている。このように、保持枠開放スイッチ１１１及び枠基体開放スイッチ１１２が備えられているため、外枠２，枠基体３及び透明板保持枠４の開放状態を外部装置等によって確認することができる。なお、この保持枠開放スイッチ１１１及び枠基体開放スイッチ１１２の配線は、枠基体中継基板９９に接続された後、電飾制御基板９２に接続され、表示制御基板９０を経由して主基板１２０に接続するようにし、そして、主基板１２０からの情報信号に基づいて電飾制御基板９２によって一部又は全部のＬＥＤあるいはランプ９，１０，１３，１４ａ〜１４ｄ，１６ａ，１６ｂ，１７ａ，１７ｂを点灯制御することにより枠基体３あるいは透明板保持枠４が開放されたことを報知するようにしてもよい。
【００１７】
次に、透明板保持枠４の透視窓５の下方に位置する上皿開閉枠１１に形成された上皿１９の構成について説明すると、上皿１９は、複数の合成樹脂製部材を組合せた皿部材を固着することにより構成されている。上皿１９の開放側の上方には、操作レバー２１が設けられている。この操作レバー２１は、操作する部分である操作部２１ａが形成されると共に、左右方向に移動可能に設けられ、後述するスプリング（図示しない）の付勢力に抗して一方向に移動させることにより、上皿１９に貯留されていた球を裏面側に形成される球抜き路（図示しない）及び球抜き（図示しない）を流下させて皿部材２７に誘導するものである。
【００１８】
上記した上皿１９について、さらに詳細に説明すると、上皿１９は、その上流側に形成される賞球払出口２０から払い出された賞球を貯留し、且つ発射位置に球を供給するものである。また、上皿１９には、弾球遊技機１に隣接して設けられるカードユニット装置３１を介して遊技球を借り受ける際に操作する操作部（残高表示部）が設けられている。この操作部は、球貸スイッチ３６，返却スイッチ３７，度数表示ＬＥＤ１０５及び球貸表示ＬＥＤ１０６（いずれも図４に符号のみ記載）が実装される残高表示基板１０４（図４に符号のみ記載）からなり、該残高表示基板１０４が上皿１９の上面に臨むように設けられている。なお、度数表示ＬＥＤ１０５は、カード残高を７セグメントＬＥＤで表示するＬＥＤであり、球貸表示ＬＥＤ１０６は、球貸しが可能か否かを表すＬＥＤである。球貸スイッチ３６は、カードユニット装置３１によって遊技球を借り受ける際に操作（球貸し操作）するものであり、返却スイッチ３７は、遊技終了の際にカードユニット装置３１のカード挿入口（図示しない）に差し込まれたカードを返却するためのものである。なお、上皿１９に設けられて上記した球貸スイッチ３６，返却スイッチ３７，度数表示ＬＥＤ１０５及び球貸表示ＬＥＤ１０６が実装される残高表示基板１０４から延びる上皿配線は、枠基体３の軸支側の下部に形成される配線通し開口（図示しない）から枠基体３の裏側に引き出され、機構板１４０の裏面下部に取り付けられるインターフェイス基板１０３を経由して後述する払出制御基板９８に接続されている。また、上皿１９の右側方には、透明板保持枠４を枠基体３に対して施錠し且つ枠基体３を外枠２に対して施錠する施錠装置１２８を操作するためのシリンダー錠２６が臨んでいる。
【００１９】
また、枠基体３の下部に取り付けられる皿部材２７は、前記上皿１９から溢れた賞球であって機構板１４０の裏面下部に形成される余剰球通路（図示しない）及び接続樋２０２を介して排出される余剰球を貯留する余剰球貯留皿（余剰球受皿）であり、この皿部材２７の下部には、後述する球抜き装置５００を取り付けるための取付凹部４９２が形成されている。球抜き装置５００には、後述するように、スライド可能に操作レバー２８が取り付けられており、この操作レバー２８を操作することにより、皿部材２７に貯留されていた球（賞球）を下方に球抜きして持ち運び可能な球箱に移し替えることができる。なお、本実施例では、賞球を貯留し且つ発射位置に球を供給する上皿１９と、上皿１９から溢れた余剰球を貯留する余剰球貯留皿としての皿部材２７の二つを分離して設けているが、遊技領域を上下方向に拡大し上皿１９が下方位置に設けられる場合には、皿部材２７を設けることなく、遊技球貯留皿である上皿（皿部材）に球抜き装置５００を設けるようにしてもよい。また、皿部材２７の左側には、灰皿ユニット２９が設けられ、右側には、操作ハンドル３０が設けられている。操作ハンドル３０は、図３に示す打球発射装置１３０のステッピングモータ６０１（図４に符号のみ記載：図中、発射モータと記載）の駆動を停止させるための単発発射スイッチ１０９（ストップスイッチ：図４に符号のみ記載）及びタッチリング１１０（タッチセンサ：図４に符号のみ記載）に接続されるタッチ配線（図示しない）が組み付けられていると共に、弾発力を調節するものである。なお、タッチ配線は、単発発射スイッチ１０９からの配線と共に束ねられる。
【００２０】
弾球遊技機１の正面構造は、概ね上記した通りであるが、図示の実施形態では、図３に示すように、弾球遊技機１にカードユニット装置３１が隣接されている。このカードユニット装置３１は、前記上皿１９の上面に設けられる前述した球貸スイッチ３６や返却スイッチ３７等の操作部を操作することにより作動されるものである。しかして、カードユニット装置３１の表面側には、使用可能状態であるか否かを表示する使用可能表示器（図示しない）と、当該カードユニット装置３１がいずれの側の弾球遊技機１に対応しているか否かを表示する連結台方向表示器（図示しない）と、記録媒体としての磁気カードを挿入するカード挿入口（図示しない）とが設けられている。そして、このように構成されるカードユニット装置３１は、独自の制御回路によって制御されるものであるが、後述するインターフェイス基板１０３とカードユニット配線３５を介して接続され、このカードユニット配線３５からインターフェイス基板１０３を経由して後述する払出制御基板９８に接続されている（図３参照）。なお、カードユニット装置３１を弾球遊技機１に内蔵しても良いし、カードユニット装置３１を付設せず、カードによる球貸し機能を有しない弾球遊技機でもよい。また、本実施形態においては、遊技者に遊技球を貸し出す（球貸しする）ためのユニット装置としてカードユニット装置３１を例示したが、例えば、紙幣等を挿入し得るユニット装置であっても良い。
【００２１】
一方、弾球遊技機１の背面には、図３に示すように、入賞球の発生に基づいて所定個数の賞球を払い出すための各種の機構を装備した機構板１４０が設けられると共に、前記操作ハンドル３０に対応する裏面には、ステッピングモータ６０１及び打球槌（図示しない）を有する打球発射装置１３０が固着され、その打球発射装置１３０の側方には、機構板１４０の余剰球通路（図示しない）を流下する賞球を前記皿部材２７に誘導する接続樋２０２が固着されている。更に、接続樋２０２の側方に中継基板取付台２０１が取り付けられ、外枠２に対する枠基体３の開放側裏面には、外枠２の掛止片１２９に対する枠基体３の施錠及び枠基体３に対する透明板保持枠４の施錠を行う施錠装置１２８が設けられている。
【００２２】
上記した構成のうち、打球発射装置１３０には、発射制御基板１０７（図４に符号のみ記載）が付設されており、この発射制御基板１０７によって打球発射装置１３０が駆動制御されるようになっている。発射制御基板１０７は、基板ボックス２０３内に収容されると共に、枠基体中継基板９９を介して払出制御基板９８と接続されており（図４参照）、所定の状態（例えば、カードユニット未接続、それだけでもよいが、他に皿部材満タン、球切れ時などのとき）となったときに払出制御基板９８から停止信号をうけて打球の発射を行えないようになっている。
【００２３】
以上で、弾球遊技機１の全体の概略構成を説明したが、以下、弾球遊技機１を構成する要素のうち、遊技盤４０と、機構板１４０の詳細な構成について順次説明する。まず、図２を参照して遊技盤４０について説明する。
【００２４】
遊技盤４０は、枠基体３の裏面側に一体的に形成される遊技盤収納枠部３９３（図示しない）に収容固定されるべく、ほぼ正方形状の合板により形成され、その表面には、円形うず巻き状に誘導レール４２が取り付けられ、該誘導レール４２の内側が縦長の円形状に形成された遊技領域４１とされて発射された打球が落下するものである。遊技領域４１には、図示の場合、特別可変表示装置４４、特別可変入賞球装置４８、普通可変入賞球装置５８、普通可変表示装置６３等が設けられると共に、単に打球を入賞とする入賞口、打球の流下方向，速度を変化せしめる風車又は多数の障害釘が設けられ、また、遊技領域４１の最下方には、いずれの入賞領域にも入賞しない打球が取り込まれるアウト口６９が設けられている。
【００２５】
遊技領域４１の構成をその遊技動作に従ってより詳細に説明すると、可変表示装置４４の下方に普通可変入賞球装置５８が設けられると共に、可変表示装置４４の両側方には、それぞれ通過球検出器６２ａ，６２ｂを内蔵する通過口６１ａ，６１ｂが設けられている。この通過球検出器６２ａ，６２ｂは、遊技領域４１を落下する打球の通過を検出すると、その検出信号に基づいて特別可変入賞球装置４８の右側方に設けられる上下一対のＬＥＤからなる普通図柄表示器６３を可変表示（点灯移動）して表示結果を導出する（上下いずれか一方のＬＥＤのみを点灯表示する）。しかして、普通図柄表示器６３の表示結果が予め定められた当りＬＥＤの点灯（図示の場合は、上方のＬＥＤ）である場合に、普通可変入賞球装置５８が所定時間開放される。なお、普通図柄表示器６３の可変時間は、後述する非特別遊技状態のときに相対的に長く（例えば、３０秒）、後述する特別遊技状態のときに相対的に短く（例えば、３〜５秒）設定されている。また、特別可変入賞球装置４８の左側方には、普通図柄表示器６３の可変表示中に通過球検出器６２ａ，６２ｂを通過した打球数を記憶表示する普通図柄始動記憶ＬＥＤ６４（最高４個まで記憶表示する）が設けられている。
【００２６】
普通可変入賞球装置５８は、遊技領域４１のほぼ中央に配置される可変表示装置４４と遊技領域４１の前記アウト口６９の上部に配置される特別可変入賞球装置４８との間に配置され、ソレノイド５９（図４に符号のみを記載）によって開閉駆動される電動チューリップタイプの可変入賞球装置である。そして、普通可変入賞球装置５８には、始動球検出器６０が内蔵され、開放中又は閉成中に受け入れた入賞球を検出するようになっている。しかして、打球が始動球検出器６０によって検出されると可変表示装置４４が可変表示を開始する。なお、普通可変入賞球装置５８の開放時間は、非特別遊技状態のときに相対的に短く（例えば、０．５秒）、特別遊技状態のときに相対的に長く（例えば、２秒）設定されている。また、普通可変入賞球装置５８が開放していない場合でも打球を受け入れるようになっている。
【００２７】
可変表示装置４４は、図２に示すように、識別情報を可変表示する表示部２２３を有した液晶タイプの表示器であり、この表示部２２３は、左・中・右の３つの表示領域に識別情報が表示制御されるものである。
【００２８】
上記した表示部２２３の前方外周には、表示部２２３の外周部分を装飾するための装飾部材６６が設けられている。そして、可変表示装置４４の変動停止時における図柄の組合せが予め定めた大当り図柄の組合せ（例えば、同一の図柄が当りラインのいずれかに揃った場合）である特定表示結果となった場合に、特定遊技状態となって特別可変入賞球装置４８を次に説明する所定の態様で開閉駆動するものである。ただし、特定表示結果の一部は、特別表示結果として設定され、この特別表示結果で特定遊技状態となったときには、その特定遊技状態終了後における前記普通図柄表示器６３における当り（当りＬＥＤの点灯）の出現確率や可変表示装置４４における大当り図柄の出現確率が高くなる遊技者に有利な特別遊技状態となるように設定されている。これに対し、特別表示結果以外の特定表示結果は、特別遊技状態よりも遊技者に不利な非特別遊技状態となる非特別表示結果として設定されている。また、可変表示装置４４の上方右側には、可変表示装置４４の可変動作中に前記始動球検出器６０によって検出された球数を記憶表示する特別図柄始動記憶ＬＥＤ４６（最高４個まで記憶表示する）と、が設けられている。なお、可変表示装置４４は、液晶タイプのものに限らず、ＣＲＴ，ドットマトリクス，ＬＥＤ，７セグメント，ドラム等により構成されるものであっても良い。また、装飾部材６６の構成については後に詳述するものである。
【００２９】
特定遊技状態となったときに駆動制御される特別可変入賞球装置４８は、ソレノイド６５（図４に符号のみを記載）によって開閉駆動される開閉板４９を有し、その開閉板４９に受け入れられた打球を検出する入賞個数検出器５２（図４に符号のみを記載）が設けられている。また、特別可変入賞球装置４８内（開閉板４９の内側）には、打球の検出（Ｖ入賞検出）に伴って特定遊技状態の継続権を成立させる特定球検出器５１（図４に符号のみを記載）が設けられており、該特定球検出器５１の上方には、一旦Ｖ入賞検出があると次に開閉板４９を開放するまでは打球が特定球検出器５１を通過しないようにするＶシャッター（図示しない）が設けられている。このＶシャッターは、ソレノイド５０（図４に符号のみを記載）によって開閉駆動が行われる。しかして、特定遊技状態となった場合には、一定時間（例えば、２８秒）が経過するまで又はその一定時間内に所定個数（例えば、１０個）の入賞球が入賞するまで開閉板２５を開放（以下、この開放を開放サイクルという）し、その開放サイクル中に受け入れられた打球が特定球検出器５１によって検出されたときに継続権が成立して、再度上記した開放サイクルが実行され、各開放サイクルにおいて継続権が成立していることを条件に最高１６回の開放サイクルを繰り返すことができるようになっている。
【００３０】
なお、本発明の特定遊技状態は、上記に限らず以下に示す▲１▼〜▲５▼の制御のうちいずれか１つの制御又は組合せた制御を実行する状態であればよい。
【００３１】
▲１▼  打球の入賞を容易にする第一の状態と、打球が入賞できない又は入賞し難い第二の状態と、に変化可能な可変入賞球装置に対して所定時間連続的又は間欠的に第一の状態にする制御
▲２▼  特定の入賞又は通過領域での打球の検出を介在させ、打球の入賞を容易にする第一の状態と、打球が入賞できない又は入賞し難い第二の状態と、に変化可能な可変入賞球装置に対して所定時間連続的又は間欠的に第一の状態にする制御
▲３▼  打球の入賞に関わらず所定数の景品球を直接排出する制御
▲４▼  有価価値を有する記憶媒体（カードやレシート等）に対して有価数を加算する制御
▲５▼  得点があることに基づいて遊技可能な弾球遊技機に対して得点を付与する制御
また、特別可変入賞球装置４８の左右両側には、それぞれ入賞球検出器５６ａ，５６ｂを内蔵する通常入賞口５４ａ，５４ｂが設けられ、該通常入賞口５４ａ，５４ｂの外側上方には、それぞれ入賞球検出器５５ａ，５５ｂを内蔵する通常入賞口５３ａ，５３ｂが設けられている。
【００３２】
上記したように、打球が入賞するすべての入賞口及び入賞装置には、入賞球を検出する入賞球検出器としての各スイッチ５２，５５ａ，５５ｂ，５６ａ，５６ｂ，６０が設けられているが、これは、これらの検出信号に基づいて所定個数の賞球を払い出すために使用されるものである。なお、入賞球を検出するが、賞球を払い出さない各スイッチ５１，６２ａ，６２ｂも設けられている。しかして、これらのスイッチ（入賞球検出器）５１，５２，５５ａ，５５ｂ，５６ａ，５６ｂ，６２ａ，６２ｂは、図４に示すように、次に説明するスイッチ中継基板９５を介して主基板１２０に接続され、主基板１２０では、これらの検出器からの検出信号により未払出数として対応した個数を加算すると共に順次払出制御基板９８に賞球個数信号を導出する。そして、払出制御基板９８は、その賞球個数信号に基づいて所定個数の賞球を払い出すように後述する球払出装置１５４を駆動制御するようになっている。なお、スイッチ（特定球検出器）５１は、継続権の成立を検出する機能を兼用しており、スイッチ（入賞球個数検出器）５２は、開閉板４９の開放を規制するための計数機能を兼用している。また、スイッチ（始動球検出器）６０は、特別可変表示装置４４の可変表示をさせるための始動機能を兼用している。
【００３３】
また、始動球検出器６０は、図４に示すように、スイッチ中継基板９５を介することなく直接主基板１２０と接続されている。（ただし、他の入賞球検出器５１，５２，５５ａ，５５ｂ，５６ａ，５６ｂ，６２ａ，６２ｂによって導出される賞球個数信号は、相対的に多い個数、例えば、１３個や１５個であるのに対し、始動球検出器６０に基づく賞球個数信号は、相対的に少ない個数、例えば、５個や７個である）これは、始動球検出器６０からの配線を直接主基板１２０に接続することにより、その途中に不正な回路基板を組み込んだ配線（ぶら下がり基板等と称されている）が接続されているか否かの発見を容易にするためである。また、始動球検出器６０と主基板１２０とを直接接続する配線は、他の配線の色と明らかに異なる色（本実施形態の場合には、ピンクと黄の蛍光色）としたので、この点からも始動球検出器６０からの配線に不正が行われているか否かを見分け易い。さらに、その始動球検出器６０と主基板１２０とを接続する配線を遊技機裏面側から見て視認できるようにしているので、より不正を発見し易い。
【００３４】
遊技盤４０には、上記したようにスイッチやソレノイド、あるいは装飾ランプや装飾ＬＥＤ等が多数設けられるが、これらは、電飾制御基板９２やあるいはスイッチ中継基板９５を介して主基板１２０に接続されるようになっている。即ち、図４に示すように、遊技盤４０に設けられる各スイッチ５１，５２，５５ａ，５５ｂ，５６ａ，５６ｂ，６２ａ，６２ｂ及び各ソレノイド５０，５９，６５は、スイッチ中継基板９５を介して主基板１２０に接続され、普通図柄可変表示装置６３及びソレノイド７１ｂ，７３ｂ，７４ｂは、盤用電飾中継基板９３を介して電飾制御基板９２に接続されている。
【００３５】
一方、遊技盤４０の裏面には、図３に示すように、遊技盤４０の裏面側の中央部分には、裏面カバー体８１が取り付けられている。裏面カバー体８１の中央には、特別可変表示装置４４が臨む開口（図示しない）が形成されており、この裏面カバー体８１に対して、特別可変表示装置４４の裏面が突出して設けられている。この特別可変表示装置４４の裏面部分の右側には、音声制御基板９４が音声制御基板ボックス１２５内に収容して取り付けられている。この音声制御基板９４は、前記スピーカ１２ａ，１２ｂを駆動制御するものであり、主基板１２０からの情報信号に応じて遊技内容に対応した効果音を発生させるものである。また、音声制御基板９４には、音量を切り替える音量切替スイッチ１２７が設けられている。また、音声制御基板９４の下方には、後述する表示制御基板９０から特別可変表示装置４４へ送信される信号を中継するための表示中継基盤９１が備えられている。
【００３６】
また、特別可変表示装置４４の裏面部分の左側には、盤用電飾中継基板９３が取り付けられている。この盤用電飾中継基板９３は、前述したように遊技盤４０に設けられる可変表示装置６３、ソレノイド７１ｂ，７３ｂ，７４ｂと電飾制御基板９２との接続を中継するものである。また、盤用電飾中継基板９３の下方には、スイッチ中継基板９５が取り付けられている。このスイッチ中継基板９５は、前述したように、遊技盤４０に設けられる各スイッチ５１，５２，５５ａ，５５ｂ，５６ａ，５６ｂ，６２ａ，６２ｂ及び各ソレノイド５０，５９，６５と主基板１２０との接続を中継するものである。また、盤用電飾中継基板９３の左側方には、裏面カバー体８１上に盤用外部端子基板９６が取り付けられている。この盤用外部端子基板９６は、弾球遊技機１の営業管理上必要な遊技情報（例えば、大当り遊技状態中である旨を報知する大当り１情報、確率変動図柄で大当り遊技状態となり、その大当り状態中及びその大当りによる確率変動中である旨を報知する大当り２情報（大当り中と確率変動中に出力され続ける信号）、確率変動図柄による大当り状態終了後の確率変動中である旨を報知する確率変動情報、始動球検出器をＯＮした打球の数を報知する始動口情報、特別可変表示装置の可変動作回数を報知する図柄確定回数１情報、普通可変表示装置の可変動作回数を報知する図柄確定回数２情報、及び普通可変入賞球装置の開閉回数を報知する役物回数２情報等）を遊技場に設置される管理コンピュータに出力するための外部接続端子（図示しない）を有し、これらの情報が主基板１２０から与えられるようになっている。更に、どの図柄で大当りしたか、どの図柄で停止したか等の情報を出力するようにしてもよい。
【００３７】
また、裏面カバー体８１の下方には、遊技盤４０に設けられる各入賞口から入賞した入賞球を誘導する入賞球誘導路（図示しない）がその前面に形成される入賞球誘導カバー体８２が取り付けられている。入賞球カバー体８２には、表示制御基板９０及び電飾制御基板９２が表示制御基板ボックス１２４内に収容して取り付けられている。表示制御基板９０は、特別可変表示装置４４の可変表示動作を主基板１２０からの情報信号の種類に応じて駆動制御するものであり、電飾制御基板９２との情報信号のやり取りを行なうものである。また、電飾制御基板９２は、図４に示すように、遊技盤４０に設けられる装飾ＬＥＤ、普通可変表示装置６３、ソレノイド、及び透明板保持枠４に設けられる遊技効果ＬＥＤや遊技効果ランプ等を主基板１２０からの情報信号に応じて一括して駆動制御するものである。
【００３８】
以上、遊技盤４０の構成について詳細に説明してきたが、上記のように構成される遊技盤４０は、枠基体３の裏面側に形成される遊技盤収納枠部（図示しない）に収納固定されるようになっている。遊技盤収納枠部は、周知のように、ほぼ正方形状に構成される遊技盤４０を収容するように枠基体３の裏面に段差状に形成され、収容した遊技盤４０の裏面を押圧固定するための遊技盤係止レバー２００が遊技盤収納枠部の左側方に２箇所及び右側方に１箇所に取り付けられている。なお、遊技盤係止レバー２００の取付位置は、このような位置に限られるものではなく、適宜箇所に設けられるものであればよい。また、遊技盤収納枠部の下方部は、平板状の支持板となって遊技盤４０の下辺を載置するようになっており、その支持板のほぼ中央にアウト球を誘導するアウト球連通口（図示しない）が形成されている。また、遊技盤４０を遊技盤係止レバー２００によって収容固定した状態においては、その裏面から機構板１４０が被覆されることとなるが、その機構板１４０は、開閉自在に軸支され、また、機構板１４０を閉じた状態で保持することができるようになっている。なお、機構板１４０は、枠基体３に対して固定されて開閉できないものであってもよい。
【００３９】
次に、弾球遊技機１の背面に設けられる機構板１４０の構成について図３を参照して説明する。図３において、機構板１４０は、遊技球を貯留する貯留タンク１４７と該貯留タンク１４７に貯留された賞球を下流側に整列しながら誘導する球整列レール部材１４８及びカーブレール部材１５０と、カーブレール部材１５０からの遊技球を誘導する球通路１５６と、入賞に基づく賞球を払い出す球払出装置１５４と、主として遊技盤４０に打ち込まれた入賞球を含む打球を処理する処理機構と、が機構板主体１４１上に設けられる。球整列レール部材１４８の下流側上部には、外部との信号線が接続される外部接続端子を有する情報端子基板１０２が設けられる。情報端子基板１０２に設けられる外部接続端子１１８からは、外部（例えば、管理コンピュータ）へ貯留タンク１４７にて遊技球が不足している旨の球切れ情報と貸球情報と賞球情報とが出力される。
【００４０】
また、カーブレール部材１５０の下流側には、垂直状に球通路部材１５６が設けられる。具体的には、前後２列の球通路から球通路部材１５６が構成され、該２列の球通路には、それぞれ球切れスイッチ１５７（図４に符号のみ記載）が通路に臨むように設けられている。この球切れスイッチ１５７は、図４に示すように、主基板１２０に接続され、球切れスイッチ１５７が遊技球を検出しなくなったときには、球払出装置１５４の作動を停止して遊技球の払出を不能動化させるようになっている。球払出装置１５４は、ほぼ直方体形状をなすケースの内部に収納されて機構板主体１４１の前面側に着脱自在に取り付けられるようになっている。
【００４１】
また、機構板１４０の下部後面側には、電圧の異なる複数の電源を生成する電源ユニット基板９７を収容する電源基板ボックス１２２と、遊技盤４０に設けられる可変表示装置４４や特別可変入賞球装置４８等の遊技装置の動作を制御する主基板１２０を収容する主基板ボックス１２１と、前記球払出装置１５４の動作を制御する払出制御基板９８を収容する払出制御基板ボックス１２３が設けられる。電源ユニット基板（電源生成基板）９７は、電源コード１１７が接続されてＡＣ２４Ｖの電圧が供給されると共に、ＤＣ３０Ｖ、ＤＣ２１Ｖ、ＤＣ１２Ｖ、ＤＣ５Ｖ、ＡＣ２４Ｖの５種類の電圧を生成し、各制御基板に所定の電源を供給する。
【００４２】
以上、弾球遊技機１の構成、遊技盤４０の構成、及び機構板１４０の構成について説明してきたが、次に、配線接続される回路構成について、図４を参照して説明する。主基板１２０には、遊技盤４０に設けられる各スイッチ５１，５２，５５ａ，５５ｂ，５６ａ，５６ｂ，６２ａ，６２ｂからの信号がスイッチ中継基板９５を介して入力されると共に始動球検出器６０からの信号も入力され、また、満タンスイッチ１５８及び球切れスイッチ１５７からの信号が機構板中継基板１０１及び払出制御基板９８を介して入力される。更に、主基板１２０には、中継基板１１３及び払出制御基板９８を介して払出個数カウントスイッチ１１６からの信号が入力されるものである。
【００４３】
上記した入力信号のうち、遊技盤４０に設けられる各スイッチ５１，５２，６０，６２ａ，６２ｂからの入力信号に基づいて主基板１２０は、遊技盤４０に設けられるソレノイド５０，５９，６５を駆動制御すると共に、遊技状態に応じた電飾信号を表示制御基板９０を介して電飾制御基板９２に出力し、遊技状態に応じた効果音信号を表示制御基板９０及び電飾制御基板９２を介して音声制御基板９４に出力し、更に、大当り表示制御信号あるいはリーチ表示制御信号又は外れ表示制御信号を表示制御基板９０に出力し、盤用外部端子基板９６に各種の遊技情報を出力する。電飾制御基板９２は、主基板１２０から入力される信号によって、普通可変表示装置６３を表示制御し、音声制御基板９４は、主基板１２０から入力される効果音信号の種類に応じて電飾制御基板９２及び保持枠中継基板１００を介してスピーカ１２ａ，１２ｂを駆動制御する。また、表示制御基板９０は、主基板１２０から入力される表示制御信号の種類に応じて特別可変表示装置４４の表示結果を導出するように制御する。
【００４４】
また、満タンスイッチ１５８からの入力信号に基づいて主基板１２０は、払出制御基板９８に満タン信号（払出停止コマンド）を出力し、その満タン信号に基づいて払出制御基板９８は、払出モータ１１５の駆動を停止させる。また、その満タン信号に基づいて、ステッピングモータ６０１の駆動を停止する。なお、満タンスイッチ１５８からの入力信号があったときには、電飾制御基板９２に満タン信号を出力して所定のランプ又はＬＥＤを表示駆動してその旨を報知するようにしてもよい。また、満タン信号を払出制御基板９８に出力するので、例えば、該払出制御基板９８上のエラー表示器等でその旨を報知するようにしてもよい。
【００４５】
また、遊技盤４０に設けられる通過球検出器６２ａ，６２ｂを除く各スイッチ５１，５２，５５ａ，５５ｂ，６０，５６ａ，５６ｂからの入力信号に基づいて主基板１２０は、払出制御基板９８に賞球個数信号を出力し、払出制御基板９８は、その賞球個数信号の入力に基づいて払出モータ１１５を駆動して所定個数の賞球を払い出す。また、払出個数カウントスイッチ１１６からの入力信号に基づいて主基板１２０は、未払出数があるか否かを判定する。また、払出個数カウントスイッチ１１６からの入力信号に基づいて主基板１２０は、枠用外部端子基板１０２に賞球個数情報（１０個で１パルス）を出力し、この信号を枠用外部端子基板１０２から外部の管理コンピュータの出力する。更に、各スイッチ５１，５２，５５ａ，５５ｂ，６０，５６ａ，５６ｂからの入力信号に基づいて主基板１２０は、電飾制御基板９２（及び音声制御基板９４）に賞球信号を出力し、賞球ＬＥＤ１０（又はスピーカ１２ａ，１２ｂ）を表示駆動してその旨を報知する。
【００４６】
更に、球切れスイッチ１５７からの入力信号に基づいて主基板１２０は、払出モータ１１５を駆動停止させるために払出制御基板９８に球切れ信号（払出停止コマンド）を出力したり、電飾制御基板９２に賞球切れ信号を出力して球切れＬＥＤ９を所定の態様で表示駆動する。なお、満タンスイッチ１５８又は球切れスイッチ１５７のいずれかがＯＮすることで賞球停止信号（払出停止コマンド）を主基板１２０から払出制御基板９８に出力して賞球しないようにし、いずれのスイッチ１５８，１５７ともＯＦＦであれば賞球可能信号（払出停止解除コマンド）を出力するというものでもよい。また、賞球ＬＥＤ１０に換えて未払出がある場合、点灯する未払出報知ランプなどを設けてもよい。
【００４７】
主基板１２０には、遊技動作を制御するためのスイッチ入力、賞球の払出動作を制御するためのスイッチ入力しか入力されず、主基板１２０と払出制御基板９８を除く他の制御基板９０，９２，９４との関係においては、主基板１２０から制御基板９０，９２，９４に向かって一方向の通信関係となる。このため、制御基板に不法な処理プログラムを組み込んで主基板１２０で不正な処理を施そうとしても実行することができないという利点があり、また、主基板１２０の制御の一部を他の制御基板９０，９２，９４，９８で担当しているので、主基板１２０の負担が軽減されると共に、主基板１２０の検査の容易化を図ることも可能である。
【００４８】
また、払出制御基板９８には、センサ基板１１４のモータ位置センサ及び払出個数カウントスイッチ１１６からの信号が中継基板１１３を介して入力され、残高表示基板１０４の球貸スイッチ３６及び返却スイッチ３７からの信号が入力され、カードユニット装置３１から各種の情報が入力されている。更に、前述したように、主基板１２０から賞球個数信号、満タン信号、球切れ信号が入力されるものである。上記した入力信号のうち、モータ位置センサからの入力信号に基づいて払出制御基板９８は、貸球及び賞球の払出動作において払出モータ１１５の停止位置、即ち球払出装置１５４のスプロケットの停止位置を正確に制御すると共にスプロケットが回転しているか否かを検出できる。また、払出個数カウントスイッチ１１６からの入力信号に基づいて払出制御基板９８は、貸球及び賞球の正確な払出数を払い出すように払出モータ１１５を駆動制御すると共に、枠用外部端子基板１０２に貸球数情報（１００円分の球２５個で１パルス）を出力する。なお、賞球数情報を主基板１２０から出力するようにしてもよい。
【００４９】
また、払出制御基板９８は、球貸スイッチ３６からの入力信号に基づいてカードユニット装置３１から貸球要求信号が出力されると払出モータ１１５を駆動し、また、返却スイッチ３７からの入力信号は、インターフェイス基板１０３を経由してカードユニット装置３１に伝達される。また、カードユニット装置３１からの各種の情報信号もインターフェイス基板１０３を経由して残高表示基板１０４の度数表示ＬＥＤ１０５及び球貸表示ＬＥＤ１０６に伝達される。更に、主基板１２０からの球切れ信号、賞球個数信号、満タン信号等に基づいて払出制御基板９８は、前述したように中継基板１１３を介して賞球の払出動作を実行せしめたり、発射制御基板１０７にステッピングモータ６０１の停止信号を出力したりする。なお、枠用外部端子基板１０２に接続される球切れスイッチ１０７からの入力信号は、球切れ情報として外部の管理コンピュータ等に出力される。
【００５０】
また、上記した払出制御基板９８には、接続線（図示しない）を介して補強ヒンジ部材１７６（図３参照）が接続されており、この補強ヒンジ部材１７６あるいは補強ヒンジ部材１７６と係合する枠基体３の下側のヒンジ金具（図示しない）に接続されるアース板（図示しない）から遊技球の静電気を受け、これをカードユニット装置３１から放電するようになっている。
【００５１】
次に、本実施形態の要部を構成する皿部材２７及び球抜き装置５００について図５及び図６を参照して説明する。図５は、皿部材２７の分解斜視図であり、図６は、皿部材カバー体４９０及び球抜き装置５００の斜視図である。
【００５２】
皿部材２７は、図５に示すように、主として皿部材第２セット板５４０と、該皿部材第２セット板５４０の前面側を被覆する皿部材第１セット板５３４と、該皿部材第１セット板５３４の前面側に取り付けられる皿部材本体５１９と、該皿部材本体５１９の前面及び左右を覆う皿部材第２カバー部材５２８と、該皿部材第２カバー部材５２８の前面側を被覆する皿部材第１カバー部材５１３と、皿部材２７の前面部分を構成する皿部材カバー体４９０と、皿部材カバー体４９０を介して皿部材本体５１９の底面に取り付けられる球抜き装置５００と、から構成されている。なお、皿部材第１カバー部材５１３と皿部材第２カバー部材５２８との間には、皿部材中央レンズ５２５，皿部材左レンズ５２６及び皿部材右レンズ５２７が挟持されている。
【００５３】
皿部材第２セット板５４０は、有色の樹脂材料によって形成されるものであり、そのほぼ中央に賞球出口５４１が形成され、その賞球出口５４１の後方に賞球誘導筒部５４７が後方に突出されている。この賞球誘導筒部５４７は、枠基体３に形成される皿部材対応板部（図示しない）のほぼ中央に開設される余剰球排出口（図示しない）を貫通して前記接続樋２０２に接続されるものであり、賞球誘導筒部５４７の両側には、接続樋２０２の位置決めピン（図示しない）を差し込んで位置決めを行う位置決め穴（図示しない）が形成されている。また、賞球出口５４１の両側方上部には、差し込み溝５４８が形成されており、この差し込み溝５４８に皿部材第１カバー部材５１３の両側方に形成された挿入片５５８が挿入されて皿部材第２セット板５４０を皿部材第１カバー部材５１３に対して位置決めするようになっている。また、賞球出口５４１の下方に位置決め突起５４９が突設されると共に一側下方に位置決め突起５４５が突設されており、位置決め突起５４９，５４５が皿部材第１セット板５３４の位置決め穴５５０及び位置決め穴５３９にそれぞれ差し込まれて皿部材第１カバー部材５１３が皿部材第２カバー部材５２８に対して位置決めするようになっている。
【００５４】
また、皿部材第２セット板５４０の前面には、複数の取付ボスが突設されている。このうち取付ボス５４２は、皿部材本体５１９の取付片５２１と対応させ、皿部材第１セット板５３４の取付穴５３６を介して取付ネジ５２３で裏面から止着することにより、皿部材第１セット板５３４及び皿部材第２セット板５４０と皿部材本体５１９とを組み付けるものである。また、取付ボス５４３は、皿部材カバー体４９０の取付ボス４９６及び皿部材第２カバー部材５２８の取付ボス５３０と対応させ、皿部材第１セット板５３４の取付穴５３７を介して取付ネジ５３１で裏面から止着することにより、皿部材第１セット板５３４及び皿部材第２セット板５４０と皿部材カバー体４９０及び皿部材第２カバー部材５２８とを組み付けるものである。また、取付ボス５４４は、皿部材カバー体４９０の取付ボス（図示しない）と対応させ、皿部材第１セット板５３４の取付穴５３８を介して取付ネジ５４６で裏面から止着することにより、皿部材第１セット板５３４及び皿部材第２セット板５４０と皿部材カバー体４９０とを組み付けるものである。
【００５５】
また、賞球出口５４１の下方には、取付穴５５１が穿設されているが、この取付穴５５１は、皿部材本体５１９の取付穴（図示しない）と対応させ、皿部材第１セット板５３４の取付穴５５２を介して取付ネジ５２４で裏面から止着することにより、皿部材第１セット板５３４及び皿部材第２セット板５４０と皿部材本体５１９とを組み付けるものである。
【００５６】
また、皿部材第１セット板５３４は、透明の合成樹脂により形成されるものである。皿部材第１セット板５３４には、皿部材第２セット板５４０と同様にそのほぼ中央に賞球出口５３５が形成され、その賞球出口５３５の後方には、皿部材第２セット板５４０の賞球誘導筒部５４７の表面を覆うように賞球誘導筒被覆部５５４が後方に突出されている。また、皿部材第１セット板５３４には、前述のように、皿部材第２セット板５４０の取付ボス５４２，５４３，５４４、位置決め突起５４５、差し込み溝５４８、位置決め突起５４９に対応する位置に、取付穴５３６，５３７，５３８、位置決め穴５３９、差し込み溝５５３、位置決め穴５５０が形成されている。
【００５７】
上記した皿部材第１セット板５３４の前方に取り付けられる皿部材本体５１９は、賞球出口５４１から流出する賞球を貯留する貯留部を有するように後方が開放された凹状に形成されている。また、皿部材本体５１９の貯留部底面には、円形状の球抜き穴（図示しない）が開設され、その球抜き穴は、皿部材カバー体４９０を介して皿部材本体５１９の底面に取り付けられる球抜き装置５００の開閉部材５０５によって開閉自在に閉塞されている。したがって、皿部材本体５１９の底面の裏側には、開閉部材５０５のスライド動作を案内する（開閉部材５０５が水平移動し易いようにその上面と摺動する）ための開閉部材案内リブ（図示しない）と、開閉部材５０５を収納する収容部材５０８を取り付けるための取付ボス５２２とが突設形成されている。なお、球抜き装置５００に係る構造については、後に詳述する。また、皿部材本体５１９の上端前面には、当接鍔部５２０が前方に向かって突設され、皿部材本体５１９を組み付けたときに皿部材第１カバー部材５１３の後述する当接載置部５１５下方に嵌入されるようになっている。
【００５８】
次に、皿部材カバー体４９０は、前方中央部分が膨出状に突出すると共に、両サイドが前記皿部材対応板部と対応するように平板状に透明の合成樹脂材料によって形成されている。前方中央部分は、下方に向けて湾曲して形成されており、その端部は、皿部材第１カバー部材５１３の下部当接部５１４が当接する当接載置部４９１として形成されている。また、膨出状に突出した部分の先端であって、皿部材カバー体４９０の前面側下部には、球抜き装置５００を取り付けるための取付凹部４９２が形成されている。また、皿部材カバー体４９０の裏面側には、皿部材カバー体４９０を皿部材第２カバー部材５２８及び皿部材第１セット板５３４と共に皿部材第２セット板５４０に取り付けるための取付ボス４９６と、皿部材カバー体４９０に皿部材第１カバー部材５１３及び皿部材第２カバー部材５２８を取り付けるための取付ボス４９４と、皿部材カバー体４９０を皿部材第１セット板５３４と共に皿部材第２セット板５４０に取り付けるための取付ボス（図示しない）が突設されている。また、膨出状に突出した部分の下方には、球抜き装置５００が貫通される長方形状の開口５５５が形成されている。
【００５９】
また、皿部材カバー体４９０の左側方には、灰皿ユニット２９が取り付けられる灰皿取付部４９５が、右側方には、操作ハンドル３０が取り付けられるハンドル固定穴４９３が形成されている。更に、灰皿取付部４９５の左側方には、目隠しカバー４９８が取り付けられるようになっている。これは、灰皿取付部４９５の左側方には、スイッチ等が取り付けられる空間が形成されているが、このスイッチ等を取り付けないときに、その空間を覆い隠すために目隠しカバー４９８を取り付けるものである。この目隠しカバー４９８は、係止片４９９を皿部材カバー体４９０の係止穴（図示しない）に係止することにより取り付けるものである。なお、この皿部材カバー体４９０には、後述するように、皿部材本体５１９の他に皿部材第１カバー体５１３、皿部材中央レンズ５２５、及び皿部材第２カバー部材５２８が取り付けられるようになっている。
【００６０】
上記した皿部材第１カバー体５１３は、透明な合成樹脂材料によって、中央部分が前面に膨出する円弧状に形成されており、その前面側上端部が皿部材本体５１９の前面側端部と当接する当接載置部５１５として形成され、また、前面側下端部が皿部材カバー体４９０の当接載置部４９１と当接する下部当接部５１４として形成されている。また、皿部材第１カバー体５１３の裏面側両側方には、皿部材第２カバー部材５２８を取り付けるための取付ボス（図示しない）が突設され、また、下部両側方には、皿部材第１カバー体５１３を皿部材第２カバー部材５２８と共に皿部材カバー体４９０に取り付けるための取付片５１６が下方に向けて突設されている。
【００６１】
また、皿部材中央レンズ５２５は、有色の合成樹脂材料によって平板で円弧状に形成されている。また、皿部材左レンズ５２６及び皿部材右レンズ５２７も有色の合成樹脂材料によって断面がＬ字状に形成され、その正面側には、ローレット加工が施されている。
【００６２】
更に、皿部材第２カバー部材５２８は、有色の合成樹脂材料によって、中央部分が前面に膨出する円弧状に形成されており、その前面側上端部が皿部材本体５１９の前面側端部と当接する当接部５２９として形成されている。皿部材第２カバー部材５２８の両側方には、皿部材第２カバー部材５２８を皿部材第１セット板５３４及び皿部材第２セット板５４０と共に皿部材カバー体４９０に取り付けるための取付ボス５３０が形成され、この取付ボス５３０の皿部材第２カバー部材５２８中央側の側方には、皿部材第２カバー部材５２８と皿部材第１カバー体５１３とを取り付けるための取付ボス５３３が形成され、更に、皿部材第２カバー部材５２８の下部両側方には、皿部材第２カバー部材５２８を皿部材第１カバー体５１３と共に皿部材カバー体４９０に取り付けるための取付片５３２が下方に向けて突設されている。
【００６３】
しかして、皿部材第１カバー体５１３中央の湾曲部分と皿部材第２カバー部材５２８中央の湾曲部分との間に皿部材中央レンズ５２５を、また、皿部材第１カバー体５１３の両側方と皿部材第２カバー部材５２８の両側方との間に、それぞれ皿部材左レンズ５２６及び皿部材右レンズ５２７を挟持した後、取付ネジ５１８によって皿部材第１カバー体５１３に皿部材第２カバー部材５２８を組み付ける。そして、組み立てられた皿部材第１カバー体５１３及び皿部材第２カバー部材５２８は、皿部材第１カバー体５１３の取付片５１６及び皿部材第２カバー部材５２８の取付片５３２に挿通した取付ネジ５１７を皿部材カバー体４９０の取付ボス４９４に螺着することにより皿部材カバー体４９０に取り付けられる。
【００６４】
上記のようにして皿部材第１カバー体５１３及び皿部材第２カバー部材５２８が取り付けられた皿部材カバー体４９０と皿部材本体５１９とを組み付けた際には、皿部材第１カバー体５１３，皿部材第２カバー部材５２８及び皿部材カバー体４９０によって皿部材本体５１９の前方及び下部を覆うような形状となる。
【００６５】
しかして、皿部材本体５１９を皿部材カバー体４９０に組み付けた後に、皿部材第１セット板５３４及び皿部材第２セット板５４０をこの順番で後方からあてがって取付ボス５４３，５３０，４９６を一致させて皿部材第２セット板５４０の後方から取付ネジ５３１を取付ボス４９６に螺着し、取付ボス５４４と皿部材カバー体４９０の取付ボス（図示しない）を一致させて皿部材第２セット板５４０の後方から取付ネジ５４６を皿部材カバー体４９０の取付ボスに螺着し、取付ボス５４２と取付片５２１を一致させて皿部材第２セット板５４０の後方から取付ネジ５２３を取付片５２１に螺着し、取付穴５５１，５５０と皿部材本体５１９の取付穴（図示しない）を一致させて皿部材第２セット板５４０の後方から取付ネジ５２４を皿部材本体５１９の取付穴に螺着することにより、皿部材２７が組み立てられる。このとき皿部材第１セット板５３４の差し込み溝５５３及び皿部材第２セット板５４０の差し込み溝５４８に皿部材第１カバー部材５１３の挿入片５５８が挿入される。
【００６６】
ところで、皿部材カバー体４９０の両サイドには、灰皿ユニット２９と操作ハンドル３０とが組み付けられるようになっている。そこで、まず、灰皿ユニット２９の取付構造について説明すると、皿部材カバー体４９０の正面から見て左側には、前述したように、皿部材２７を組み付けるための凹状の灰皿取付部４９５が形成されている。この灰皿取付部４９５は、皿部材第２セット板５４０の後面よりも後方に突出しており、その突出した部分が枠基体３の灰皿用凹部（図示しない）に収納されるようになっている。
【００６７】
一方、皿部材カバー体４９０の正面から見て右側には、前述したように、操作ハンドル３０を取り付けるためのハンドル固定穴４９３が形成されている。このハンドル固定穴４９３は、操作ハンドル３０の回転軸（図示しない）及び操作ハンドル３０から延設されるスイッチ配線（図示しない）だけが貫通する貫通孔が形成された有底穴である。その底部分に形成される取付穴５５９と有底面に当接する操作ハンドル３０の後握持部材（図示しない）の端部肉厚内に形成される取付穴（図示しない）とを合致させて取付ネジ４９７で止着することにより、操作ハンドル３０をハンドル固定穴４９３に固定する。ただし、操作ハンドル３０の固定位置は、後握持部材の端部面に突設される位置決め突起（図示しない）を有底面に形成される位置決め穴（図示しない）に係合させることにより行われる。
【００６８】
以上、皿部材カバー体４９０の両サイドに組み付けられる灰皿ユニット２９及び操作ハンドル３０について説明してきたが、次に、球抜き装置５００の取付構造について説明する。
【００６９】
次に、上記した皿部材本体５１９の底面の裏側に取り付けられる球抜き装置５００について説明する。球抜き装置５００は、主として、遊技球を下方に球抜きする際に移動させる開閉部材５０５と、球抜きがされない方向に開閉部材５０５を付勢する弾性部材５０７と、開閉部材５０５に備えられ且つ開閉部材５０５を移動させる際に操作する操作レバー２８と、開閉部材５０５，弾性部材５０７及び操作レバー２８を収容する収容部材５０８と、から構成されている。開閉部材５０５は、収容部材５０８内にスライド可能に収納されるものである。この開閉部材５０５には、収容部材５０８の外側に突出する係合片５０６が一体的に形成されている。収容部材５０８には、その一側に前記球抜き穴に対応する開口５０９が開設され、その四隅に前記取付ボス５２２が嵌合する嵌合穴５１０が形成されている。また、収容部材５０８の前面側は、前面部５０２として形成されると共に、この前面部５０２のほぼ中央には、操作レバー２８の操作部２８ａが突出する開口穴５０１が穿設されている。
【００７０】
一方、開閉部材５０５は、収容部材５０８の長手方向の側壁内側に当接しながらスライドするように構成され、収容部材５０８の他側中央に突設されるスプリング係合突起５１１と開閉部材５０５の裏面に形成されるスプリング係合部（図示しない）との間に差し渡される弾性部材５０７によって常に開閉部材５０５が前記球抜き穴を閉塞する方向に付勢されている。上記した操作レバー２８の裏面側には、係合穴（図示しない）が穿設されており、この挿入穴に開閉部材５０５の係合片５０６が係合することにより、操作レバー２８が開閉部材５０５に取り付けられる。なお、このように操作レバー２８と開閉部材５０５とが個別に形成されるものに限らず、例えば、射出成型等により操作レバー２８と開閉部材５０５とを一体的に形成したものであってもよい。
【００７１】
上記のように構成される球抜き装置５００の取り付けは、皿部材カバー体４９０の下部の前述した取付凹部４９２に対して、皿部材カバー体４９０の下方側から球抜き装置５００を挿入する。このとき、球抜き装置５００が皿部材カバー体４９０の開口５５５に嵌合すると共に、収容部材５０８の前面部５０２と皿部材カバー体４９０の前面とが連続面として形成されるように、球抜き装置５００が取付凹部４９２に取り付けられる。このように、収容部材５０８の前面部５０２と皿部材カバー体４９０の前面とが連続面として形成されるが、形状あるいは構造的に連続して形成されるばかりでなく、収容部材５０８の前面部５０２と皿部材カバー体４９０の前面に意匠を施し、この意匠が連続的に構成されるようにしてもよい。
【００７２】
球抜き装置５００を取付凹部４９２に取り付けた際には、収容部材５０８の嵌合穴５１０が皿部材本体５１９の取付ボス５２２に嵌合される。そして、球抜き装置５００の裏面側から嵌合穴５１０に挿通した取付ネジ５１２を取付ボス５２２に螺着することにより、球抜き装置５００が皿部材本体５１９の底面裏側に固定される。
【００７３】
そして、この組み付け状態においては、開閉部材５０５及び操作レバー２８が右側方に位置した状態となっているので、操作レバー２８の操作部２８ａに指を掛けて左側方向にスライドさせることにより、開閉部材５０５が弾性部材５０７の付勢力に抗して移動し球抜き穴を開放する。これにより、皿部材２７に貯留されている賞球を球抜き穴から下方に落下させることができる。一方、指掛部５００から指を離すと弾性部材５０７の付勢力により操作レバー２８が右側に移動すると共に開閉部材５０５が球抜き穴を閉塞する。これにより、皿部材２７からの賞球の落下を止めることができる。
【００７４】
しかして、以上のように構成される皿部材２７は、皿部材第１セット板５３４の後面に突設される図示しない取付ボスと皿部材カバー体４９０の後面側に突設される取付ボス５９２とを枠基体３の皿部材対応板部に開設される皿部材取付穴（図示しない）に嵌合して裏面からビスを止着することにより、皿部材２７を枠基体３の下部前面に取付固定することができるものである。
【００７５】
なお、上記した実施形態においては、球抜き装置５００の収容部材５０８に形成される開口穴５０１は、前面部５０２の中央部分に形成される穴によって構成されるものを示したが、このようなものに限らず、図６（Ｂ）に示すように、前面部５０２ａの中央部分が下方に向けて切り欠かれた形状で開口穴５０１ａとして形成されるものであってもよい。このような収容部材５０８を用いた球抜き装置５００ａによって皿部材２７を構成した場合、操作レバー２８の操作部２８ａが収容部材５０８の前面側上端、即ち、開口穴５０１ａと取付凹部４９２との間から突出する構成となる。
【００７６】
また、上記した実施形態においては、皿部材カバー体４９０に取付凹部４９２が形成され、この取付凹部４９２に球抜き装置５００が取り付けられるものを示したが、このようなものに限らず、皿部材本体５１９に取付凹部４９２が形成され、この皿部材本体５１９に形成された取付凹部４９２に球抜き装置５００が取り付けられると共に、収容部材５０８の前面部５０２と皿部材カバー体４９０の前面とが連続面として形成されるものであってもよい。
【００７７】
以上、実施形態にかかる弾球弾球遊技機１について詳細に説明してきたが、本実施形態においては、遊技球を貯留する皿部材２７と、該皿部材２７に装着され且つ皿部材２７に貯留されていた遊技球を下方に球抜きする球抜き装置５００と、を備えた弾球遊技機１において、前記皿部材２７は、該皿部材２７の基体をなす皿部材本体５１９と、該皿部材本体５１９を被覆して装飾する皿部材カバー体４９０と、から構成され、前記球抜き装置５００は、遊技球を下方に球抜きする際に移動させる開閉部材５０５と、球抜きがされない方向に前記開閉部材５０５を付勢する弾性部材５０７と、前記開閉部材５０５に備えられ且つ該開閉部材５０５を移動させる際に操作する操作レバー２８と、前記開閉部材５０５，前記弾性部材５０７及び前記操作レバー２８を収容する収容部材５０８と、から構成され、前記操作レバー２８の操作部２８ａを前記収容部材５０８の前面側に穿設した開口穴５０１から突出させ、前記皿部材カバー体４９０の前面側下部には、前記収容部材５０８を取り付けるための取付凹部４９２が形成され、前記収容部材５０８の前面と前記皿部材カバー体４９０の前面とが連続面として形成されるように、前記収容部材５０８を前記取付凹部４９２に取り付けたことを特徴とする。このように構成することにより、操作レバー２８や開閉部材５０５等から構成される球抜き装置５００と皿部材カバー体４９０とが一体的に構成されるため、球抜き装置５００の取り外し及び組み付けの度に皿部材カバー体４９０を取り外し及び組み付けをする必要がなく、製造及び保守コストの低減を図ることができると共に、外観上も美観を損なうことがない。
【００７８】
また、本実施形態においては、遊技球を貯留する皿部材２７と、該皿部材２７に装着され且つ皿部材２７に貯留されていた遊技球を下方に球抜きする球抜き装置５００ａと、を備えた弾球遊技機１において、前記皿部材２７は、該皿部材２７の基体をなす皿部材本体５１９と、該皿部材本体５１９を被覆して装飾する皿部材カバー体４９０と、から構成され、前記球抜き装置５００ａは、遊技球を下方に球抜きする際に移動させる開閉部材５０５と、球抜きがされない方向に前記開閉部材５０５を付勢する弾性部材５０７と、前記開閉部材５０５に備えられ且つ該開閉部材５０５を移動させる際に操作する操作レバー２８と、前記開閉部材５０５，前記弾性部材５０７及び前記操作レバー２８を収容する収容部材５０８と、から構成され、前記皿部材カバー体４９０の前面側下部には、前記収容部材５０８を取り付けるための取付凹部４９２が形成され、前記操作レバー２８の操作部２８ａが前記収容部材５０８の開口穴５０１ａ（前面側上端）と前記取付凹部４９２との間から突出すると共に、前記収容部材５０８の前面と前記皿部材カバー体４９０の前面とが連続面として形成されるように、前記収容部材５０８を前記取付凹部４９２に取り付けたことを特徴とする。このように構成することにより、操作レバー２８や開閉部材５０５等から構成される球抜き装置５００ａと皿部材カバー体４９０とが一体的に構成されるため、球抜き装置５００ａの取り外し及び組み付けの度に皿部材カバー体４９０を取り外し及び組み付けをする必要がなく、製造及び保守コストの低減を図ることができると共に、外観上も美観を損なうことがない。
【００７９】
また、本実施形態においては、前記収容部材５０８の前面と前記皿部材カバー体４９０の前面とが連続的な意匠となるように構成したことを特徴とする。このように構成することにより、収容部材５０８と皿部材カバー体４９０とを統一感のあるデザインとすることができるため、弾球遊技機１の美観を向上させることができる。
【００８０】
また、本実施形態においては、遊技球を貯留する皿部材２７と、該皿部材２７に装着され且つ皿部材２７に貯留されていた遊技球を下方に球抜きする球抜き装置５００と、を備えた弾球遊技機１において、前記皿部材２７は、該皿部材２７の基体をなす皿部材本体５１９と、該皿部材本体５１９を被覆して装飾する皿部材カバー体４９０と、から構成され、前記球抜き装置５００は、遊技球を下方に球抜きする際に移動させる開閉部材５０５と、球抜きがされない方向に前記開閉部材５０５を付勢する弾性部材５０７と、前記開閉部材５０５に備えられ且つ該開閉部材５０５を移動させる際に操作する操作レバー２８と、前記開閉部材５０５，前記弾性部材５０７及び前記操作レバー２８を収容する収容部材５０８と、から構成され、前記操作レバー２８の操作部２８ａを前記収容部材５０８の前面側に穿設した開口穴５０１から突出させ、前記皿部材本体５１９の前面側下部には、前記収容部材５０８を取り付けるための取付凹部４９２が形成され、前記収容部材５０８の前面と前記皿部材カバー体４９０の前面とが連続面として形成されるように、前記収容部材５０８を前記取付凹部４９２に取り付けたことを特徴とする。このように構成することにより、操作レバー２８や開閉部材５０５等から構成される球抜き装置５００と皿部材本体５１９とが一体的に構成されるため、球抜き装置５００の取り外し及び組み付けの度に皿部材本体５１９や皿部材カバー体４９０を取り外し及び組み付けをする必要がなく、製造及び保守コストの低減を図ることができると共に、外観上も美観を損なうことがない。
【００８１】
また、本実施形態においては、遊技球を貯留する皿部材２７と、該皿部材２７に装着され且つ皿部材２７に貯留されていた遊技球を下方に球抜きする球抜き装置５００ａと、を備えた弾球遊技機１において、前記皿部材２７は、該皿部材２７の基体をなす皿部材本体５１９と、該皿部材本体５１９を被覆して装飾する皿部材カバー体４９０と、から構成され、前記球抜き装置５００ａは、遊技球を下方に球抜きする際に移動させる開閉部材５０５と、球抜きがされない方向に前記開閉部材５０５を付勢する弾性部材５０７と、前記開閉部材５０５に備えられ且つ該開閉部材５０５を移動させる際に操作する操作レバー２８と、前記開閉部材５０５，前記弾性部材５０７及び前記操作レバー２８を収容する収容部材５０８と、から構成され、前記皿部材本体５１９の前面側下部には、前記収容部材５０８を取り付けるための取付凹部４９２が形成され、前記操作レバー２８の操作部２８ａが前記収容部材５０８の開口穴５０１ａ（前面側上端）と前記取付凹部４９２との間から突出すると共に、前記収容部材５０８の前面と前記皿部材カバー体４９０の前面とが連続面として形成されるように、前記収容部材５０８を前記取付凹部４９２に取り付けたことを特徴とする。このように構成することにより、操作レバー２８や開閉部材５０５等から構成される球抜き装置５００ａと皿部材本体５１９とが一体的に構成されるため、球抜き装置５００ａの取り外し及び組み付けの度に皿部材本体５１９や皿部材カバー体４９０を取り外し及び組み付けをする必要がなく、製造及び保守コストの低減を図ることができると共に、外観上も美観を損なうことがない。
【００８２】
更に、本実施形態においては、前記操作レバー２８と前記開閉部材５０５とを一体的に形成したことを特徴とする。このように構成することにより、部品点数を削減することができるため、製造コストの低減を図ることができる。
【００８３】
【発明の効果】
以上、説明したところから明らかなように、請求項１の発明においては、操作レバーや開閉部材等から構成される球抜き装置と皿部材カバー体とが一体的に構成されるため、球抜き装置の取り外し及び組み付けの度に皿部材カバー体を取り外し及び組み付けをする必要がなく、製造及び保守コストの低減を図ることができると共に、外観上も美観を損なうことがない。
【００８４】
また、請求項２の発明においては、操作レバーや開閉部材等から構成される球抜き装置と皿部材カバー体とが一体的に構成されるため、球抜き装置の取り外し及び組み付けの度に皿部材カバー体を取り外し及び組み付けをする必要がなく、製造及び保守コストの低減を図ることができると共に、外観上も美観を損なうことがない。
【００８５】
また、請求項３の発明においては、収容部材と皿部材カバー体とを統一感のあるデザインとすることができるため、遊技機の美観を向上させることができる。
【００８６】
また、請求項４の発明においては、操作レバーや開閉部材等から構成される球抜き装置と皿部材本体とが一体的に構成されるため、球抜き装置の取り外し及び組み付けの度に皿部材本体や皿部材カバー体を取り外し及び組み付けをする必要がなく、製造及び保守コストの低減を図ることができると共に、外観上も美観を損なうことがない。
【００８７】
また、請求項５の発明においては、操作レバーや開閉部材等から構成される球抜き装置と皿部材本体とが一体的に構成されるため、球抜き装置の取り外し及び組み付けの度に皿部材本体や皿部材カバー体を取り外し及び組み付けをする必要がなく、製造及び保守コストの低減を図ることができると共に、外観上も美観を損なうことがない。
【００８８】
更に、請求項６の発明においては、部品点数を削減することができるため、製造コストの低減を図ることができる。
【図面の簡単な説明】
【図１】本実施形態に係る弾球遊技機の正面図である。
【図２】遊技盤の正面図である。
【図３】弾球遊技機の背面図である。
【図４】主基板と各種制御基板及び電気部品との関係を示すブロック図である。
【図５】皿部材の分解斜視図である。
【図６】皿部材カバー体及び球抜き装置の斜視図である。
【符号の説明】
１  弾球遊技機（遊技機）
１９  上皿
２７  皿部材
２８  操作レバー
２８ａ  操作部
４０  遊技盤
４１  遊技領域
１３０  打球発射装置
４９０  皿部材カバー体
４９２  取付凹部
５００  球抜き装置
５００ａ  球抜き装置
５０１  開口穴
５０１ａ  開口穴
５０５  開閉部材
５０７  弾性部材
５０８  収容部材
５１９  皿部材本体
【図１】
2004255004.tif 000003
【図２】
2004255004.tif 000004
【図３】
2004255004.tif 000005
【図４】
2004255004.tif 000006
【図５】
2004255004.tif 000007
【図６】
2004255004.tif 000008